【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
第１の複数のチャネルと第２の複数のチャネルとを含むチャネルの束であって、第１の複数のチャネルの個々のチャネルは第２の複数のチャネルの個々のチャネルに対し、束の短手方向断面のほぼ全体にチェッカー盤模様を形成するように配置され、第１の複数のチャネルの個々のチャネルは第１のフロー流ポートと流体連通し、第２の複数のチャネルの個々のチャネルは第２のフロー流ポートと流体連通しており、第１のフロー流ポートと第２のフロー流ポートとは互いに分離され流体連通していない、チャネルの束と、
第１の流体受容部材と、
第２の流体受容部材であって、第１の流体受容部材、第２の流体受容部材、およびチャネルの束は、第１の流体受容部材が第２の流体受容部材と束の端部の間に位置するように配置されている、第２の流体受容部材と、
を備えている、対向流式フロー１パス熱交換器であって、
第２の複数のチャネルは束の前記端部を通過して第１の流体受容部材を通って延在しており、第１の複数のチャネルは束を通って延在し第１の流体受容部材の収集領域と流体連通しており、収集領域は第１のフロー流ポートのうちの少なくとも１つと流体接続している、対向流式フロー１パス熱交換器。
【請求項２】
チャネルの束の面密度が４００ｍ２／ｍ３よりも高い、請求項１に記載の熱交換器。
【請求項３】
チャネルの束中のチャネルの少なくとも一部が、表面粗さが増大した壁を含んでいる、請求項１に記載の熱交換器。
【請求項４】
チャネルの束中のチャネルの少なくとも一部が、チャネル壁から延出するフィンを含んでいる、請求項１に記載の熱交換器。
【請求項５】
チャネルの束中のチャネルの少なくとも一部が、その中に固定された多孔質媒体を含んでいる、請求項１に記載の熱交換器。
【請求項６】
収集領域内の第２の複数のチャネルの少なくとも一部が、束内とは異なる断面サイズおよび／または形状を有する、請求項１に記載の熱交換器。
【請求項７】
第１の複数のチャネルの個々のチャネルの断面形状が、第２の複数のチャネルの個々のチャネルの断面形状とは異なっている、請求項１に記載の熱交換器。
【請求項８】
第１の複数のチャネルの個々のチャネルの断面積が、第２の複数のチャネルの個々のチャネルの断面積とは異なっている、請求項１に記載の熱交換器。
【請求項９】
収集領域が、第１の流体受容部材を形成する壁によって画定されるチャンバ内に形成されており、第１の複数のチャネルの第１の流体受容部材内の軸方向フローが妨害されて、第１のフロー流を収集領域と流体接続している斜め通路に沿わせる、請求項１に記載の熱交換器。
【請求項１０】
対向流式１パス熱交換器において第１の流体流と第２の流体流間で熱伝達する方法であって、
チャネルの束内に第１の流体流と第２の流体流を互いに対向して流れるように流し、その結果として第１の流体流と第２の流体流は、束の内側領域内で束の長手方向軸線に沿って、１本のチャネルに対し４方向に、第１の流体流と第２の流体流が互いに混合することなく熱交換し、前記４方向は前記１本のチャネルの上方、前記１本のチャネルの下方、および前記１本のチャネルの横方向両側の少なくとも一部沿いを含んでいる、束内に第１の流体流と第２の流体流を対向流として流すことと、
第１の流体受容部材内に第１の流体流を収集することであって、第２の流体流は第１の流体受容部材を通って延在する複数のチャネル内に閉じ込められて、第１の流体流と第２の流体流とを互いに分離している、第１の流体受容部材内に第１の流体流を収集することと、
第２の流体受容部材内に第２の流体流を収集することと、
を含んでいる、熱伝達する方法。
【請求項１１】
さらに、第１の流体流の乱流を増加させて、第１の流体流の熱伝達係数を第２の流体流の熱伝達係数の１０倍以内の値に変更することを含んでいる、請求項１０に記載の第１の流体流と第２の流体流間で熱伝達する方法。
【請求項１２】
第１の流体流中で化学反応が生じ、第２の流体流はそのエネルギーを吸収するか、または熱エネルギーを第１の流体流に提供する、請求項１０に記載の第１の流体流と第２の流体流間で熱伝達する方法。
【請求項１３】
第１の複数のチャネルと、第２の複数のチャネルとを含むチャネルの束であって、第１の複数のチャネルの個々のチャネルは第１のフロー流ポートと流体連通し、第２の複数の
チャネルの個々のチャネルは第２のフロー流ポートと流体連通しており、第１のフロー流ポートと第２のフロー流ポートとは互いに分離され流体連通しておらず、ここで第１の複数のチャネルの個々のチャネルは第２の複数のチャネルの個々のチャネルに対し、束の内側領域内で束の長手方向軸線に沿って各チャネルに対し４方向に、第１の流れの流れと第２の流れが混合することなく熱交換するように配置され、前記４方向は、内側領域の選択されたチャネルの上方、前記選択されたチャネルの下方、および前記選択されたチャネルの横方向両側の少なくとも一部沿いを含んでいる、チャネルの束と、
第１の流体受容部材と、
第２の流体受容部材であって、第１の流体受容部材、第２の流体受容部材、およびチャネルの束は、第１の流体受容部材が第２の流体受容部材と束の端部の間に位置するように配置されている、第２の流体受容部材と、
を備えている、対向流式フロー１パス熱交換器であって、
第２の複数のチャネルは束の前記端部を通過して第１の流体受容部材を通って延在しており、第１の複数のチャネルは束を通って延在し第１の流体受容部材の収集領域と流体連通しており、収集領域は第１のフロー流ポートのうちの少なくとも１つと流体接続している、対向流式フロー１パス熱交換器。
【請求項１４】
対向流式フロー用に配置されたチャネルで構成されるデバイスであって、
流体がチャネルの束（１）内を向かい合う方向に対向流式に流れることによって、流体の向かい合う流れはチェッカー盤模様に配置され、その結果として所与のどのチャネルも、その横方向両側と上下の４方向に、もう一方の流体を収容するチャネルが沿って存在しており、
束（１）のいずれかの端部で、チャネルは、向かい合う流れのうちの一方をプレナム領域（６）全体にわたり閉じ込め、空洞（７）内へと延在し、流体はこの空洞（７）を通じて空洞壁にあるポートによりデバイスに流入または流出し、
開口したプレナム領域（６）を貫通する閉じ込めているチャネルのサイズか形状、またはサイズと形状を変えて、閉じ込めているチャネルの周り全体に自由スペースを確保してもよく、その結果として他方の向かい合う流れは、プレナム壁にあるポートに向けてまたはポートから、プレナム領域（６）および第１の流れを閉じ込めているチャネル間に自由に流入する、デバイス。
【請求項１５】
チャネル束の面密度が４００ｍ２／ｍ３よりも高い、請求項１４に記載のデバイス。
【請求項１６】
熱伝達係数がチャネル壁の構造変化により向上し、流れている流れの乱流増加をもたらす、請求項１４に記載のデバイス。
【請求項１７】
第１の組の半チェッカー盤チャネルの個々のチャネルの断面形状は、中空の４辺以下の多角形であるが、相補的半チェッカー盤模様の断面形状は、第１の組のチャネルの壁間に形成される空隙を含むあらゆる形状とサイズをとる、請求項１４に記載のデバイス。
【請求項１８】
チェッカー盤模様はシートと管の列との交互層により形成され、その前記管は断面が丸、卵形、または多角形であり空隙によって横方向に分離され得、これら列の上方と下方に配置されたシートは列を垂直方向に分離し、その結果として管の交互層は千鳥配列になっている、請求項１４に記載のデバイス。
【請求項１９】
片方または両方の端部における流れのいずれかのマニホルドが、半チェッカー盤模様の第１の組の相補的チャネルの軸方向フローを妨げ、その向きを、半チェッカー盤模様の第２の組の相補的チャネルのチャネル間を斜めに通るチャネルにより短手方向に変えることにより形成され、その結果として第１の組からのフローは管束の端部に沿う側部ポートに集まる、請求項１４に記載のデバイス。
【請求項２０】
チェッカー盤模様はシートと管の列との交互層によって形成され、その前記管は断面が丸、卵形、または多角形であり空隙によって横方向に分離され得、これら列の上方と下方に配置されたシートは列を垂直方向に分離し、その結果として管の交互層は千鳥配列になっている、請求項１に記載の熱交換器。